【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
遊技領域に設けられた第１始動領域に遊技媒体が進入したことに基づいて第１識別情報の変動表示を行なって表示結果を導出表示する第１変動表示手段と、前記遊技領域に設けられた第２始動領域に遊技媒体が進入したことに基づいて第２識別情報の変動表示を行なって表示結果を導出表示する第２変動表示手段とを有し、前記第１変動表示手段または前記第２変動表示手段に予め定められた特定表示結果が導出表示されたときに遊技者にとって有利な特定遊技状態に制御される遊技機であって、
前記第１始動領域に遊技媒体が進入したことを条件として、前記第１変動表示手段の表示結果を前記特定表示結果とするか否かを当該表示結果の導出表示前に決定する第１事前決定手段と、
前記第２始動領域に遊技媒体が進入したことを条件として、前記第２変動表示手段の表示結果を前記特定表示結果とするか否かを当該表示結果の導出表示前に決定する第２事前決定手段と、
前記第１変動表示手段による変動表示が実行されるときの変動表示開始時から変動表示終了時までの変動表示時間を特定可能な変動パターンを複数の変動パターンから決定する第１変動パターン決定手段と、
前記第２変動表示手段による変動表示が実行されるときの変動表示開始時から変動表示終了時までの変動表示時間を特定可能な変動パターンを複数の変動パターンから決定する第２変動パターン決定手段と、
前記第１変動パターン決定手段により変動パターンを決定するために用いる第１変動パターンテーブルを記憶する第１変動パターン記憶手段と、
前記第２変動パターン決定手段により変動パターンを決定するために用いる第２変動パターンテーブルを記憶する第２変動パターン記憶手段と、
前記第１変動パターン決定手段が決定した変動パターンにしたがって前記第１識別情報の変動表示を制御する第１識別情報制御手段と、
前記第２変動パターン決定手段が決定した変動パターンにしたがって前記第２識別情報の変動表示を制御する第２識別情報制御手段と、
前記第１識別情報および前記第２識別情報のうち、一方を変動表示させる間は他方の変動表示の開始を待機させる待機手段と、
前記第１識別情報および前記第２識別情報のうち、一方を他方よりも優先させて変動表示を開始させる優先手段とを備え、
前記第１変動パターン記憶手段および前記第２変動パターン記憶手段のうちいずれかは、前記第１変動パターンテーブルまたは前記第２変動パターンテーブルとして、表示結果を導出表示させる頻度が高くなるように規定されたテーブルを記憶することを特徴とする、遊技機。
【手続補正２】
【補正対象書類名】明細書
【補正対象項目名】０００１
【補正方法】変更
【補正の内容】
【０００１】
本発明は、パチンコ遊技機およびコイン遊技機等の遊技機に関し、特に、遊技領域に設けられた第１始動領域に遊技媒体が進入したことに基づいて第１識別情報の変動表示を行なって表示結果を導出表示する第１変動表示手段と、前記遊技領域に設けられた第２始動領域に遊技媒体が進入したことに基づいて第２識別情報の変動表示を行なって表示結果を導出表示する第２変動表示手段とを有し、前記第１変動表示手段または前記第２変動表示手段に予め定められた特定表示結果が導出表示されたときに遊技者にとって有利な特定遊技状態に制御される遊技機に関する。
【手続補正３】
【補正対象書類名】明細書
【補正対象項目名】０００２
【補正方法】変更
【補正の内容】
【０００２】
この種の遊技機として一般的に知られているものとしては、始動入賞口への入賞等の予め定められた変動表示の実行条件が成立したことに基づいて各々が識別可能な図柄等の識別情報の変動表示を行なって表示結果を導出表示する第１変動表示手段および第２変動表示手段という２つの変動表示手段を有し、第１変動表示手段または第２変動表示手段に予め定められた特定表示結果（大当り表示結果）が導出表示されたときに遊技者にとって有利な特定遊技状態（大当り遊技状態）に制御されるパチンコ遊技機がある。
【手続補正４】
【補正対象書類名】明細書
【補正対象項目名】０００３
【補正方法】変更
【補正の内容】
【０００３】
このような２つの変動表示手段を有する遊技機においては、第１始動入賞口への入賞に基づく第１特別図柄の変動表示を第１の変動表示手段としての第１特別図柄表示器により行ない、第２始動入賞口への入賞に基づく第２特別図柄の変動表示を第２の変動表示手段としての第２特別図柄表示器により行なうものがあった（特許文献１および２）。
【手続補正５】
【補正対象書類名】明細書
【補正対象項目名】０００４
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明の目的は、２つの変動表示手段で変動表示が行なわれる遊技機において生じる問題を解決することである。
【手続補正８】
【補正対象書類名】明細書
【補正対象項目名】０００８
【補正方法】変更
【補正の内容】
【０００８】
（１）  遊技領域に設けられた第１始動領域に遊技媒体が進入したことに基づいて第１識別情報の変動表示を行なって表示結果を導出表示する第１変動表示手段（特別図柄表示器８ａ）と、前記遊技領域に設けられた第２始動領域に遊技媒体が進入したことに基づいて第２識別情報の変動表示を行なって表示結果を導出表示する第２変動表示手段（第２特別図柄表示器８ｂ）とを有し、前記第１変動表示手段または前記第２変動表示手段に予め定められた特定表示結果（大当り表示結果）が導出表示されたときに遊技者にとって有利な特定遊技状態（大当り遊技状態）に制御される遊技機（パチンコ遊技機１）であって、
前記第１始動領域に遊技媒体が進入したことを条件として、前記第１変動表示手段の表示結果を前記特定表示結果とするか否かを当該表示結果の導出表示前に決定する第１事前決定手段（遊技制御用マイクロコンピュータ５６０、第１特別図柄プロセス処理での図２５のＳ６２）と、
前記第２始動領域に遊技媒体が進入したことを条件として、前記第２変動表示手段の表示結果を前記特定表示結果とするか否かを当該表示結果の導出表示前に決定する第２事前決定手段（第２特別図柄プロセス処理でのＳ６２に相当するステップ）と、
前記第１変動表示手段による変動表示が実行されるときの変動表示開始時から変動表示終了時までの変動表示時間を特定可能な変動パターンを複数の変動パターン（図1０、図１１の変動パターン）から決定する第１変動パターン決定手段（遊技制御用マイクロコンピュータ５６０、第１特別図柄プロセス処理での図２５のＳ７７，Ｓ７８）と、
前記第２変動表示手段による変動表示が実行されるときの変動表示開始時から変動表示終了時までの変動表示時間を特定可能な変動パターンを複数の変動パターンから決定する第２変動パターン決定手段（遊技制御用マイクロコンピュータ５６０、第２特別図柄プロセス処理でのＳ７７，Ｓ７８に相当するステップ）と、
前記第１変動パターン決定手段により変動パターンを決定するために用いる第１変動パターンテーブルを記憶する第１変動パターン記憶手段と、
前記第２変動パターン決定手段により変動パターンを決定するために用いる第２変動パターンテーブルを記憶する第２変動パターン記憶手段と、
前記第１変動パターン決定手段が決定した変動パターンにしたがって前記第１識別情報の変動表示を制御する第１識別情報制御手段と、
前記第２変動パターン決定手段が決定した変動パターンにしたがって前記第２識別情報の変動表示を制御する第２識別情報制御手段と、
前記第１識別情報および前記第２識別情報のうち、一方を変動表示させる間は他方の変動表示の開始を待機させる待機手段と、
前記第１識別情報および前記第２識別情報のうち、一方を他方よりも優先させて変動表示を開始させる優先手段とを備え、
前記第１変動パターン記憶手段および前記第２変動パターン記憶手段のうちいずれかは、前記第１変動パターンテーブルまたは前記第２変動パターンテーブルとして、表示結果を導出表示させる頻度が高くなるように規定されたテーブルを記憶する。
【手続補正９】
【補正対象書類名】明細書
【補正対象項目名】０００９
【補正方法】変更
【補正の内容】
【０００９】
このような構成によれば、第１変動表示手段および第２変動表示手段のうちいずれか一方の変動表示手段による変動表示については、他方の変動表示手段による変動表示と比べて、表示結果を導出表示させる頻度が高くなる。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】